(57)【要約】  本発明は、空気清浄機を通過する空気流内の微粒子物質を帯電させるように動作するイオン化アセンブリを含む空気清浄機である。帯電した微粒子物質はイオン化アセンブリの下流に配置され、帯電微粒子物質とは反対の電荷を有するフィルタ要素によって引き付けられて保持される。フィルタを通過する浄化された空気は、任意選択的に浄化空気流に加えられる芳香と共に装置の外に向けられる。イオン化アセンブリは、イオン化アセンブリによって生成された電子を清浄機内に保持し、それによって静電気放電が清浄機の外で発生することを防止するためにイオン化部材に隣接して配置されたアース部材を持って形成される。空気流は、清浄機の効率が改善されるように、ある角度を持って実質的に層流になる仕方で清浄機内を通るように、ファンによって方向付けられる。
2009504385.tif 000002
【特許請求の範囲】
【請求項１】
ａ）吸気口（１０３６）と、前記吸気口（１０３６）から間隔をあけて配置された排気口（１０３８）と、前記吸気口（１０３６）と前記排気口（１０３８）との間に延びる空気流路（１０３０）と、を画定するハウジング（１００２）であって、前記空気流路（１０３０）は前記吸気口（１０３６）または前記排気口（１０３８）のうちの一方から延びる真っ直ぐなセクションと前記真っ直ぐなセクションから前記吸気口（１０３６）または前記排気口（１０３８）のうちの他方に向かって延びる角度付きセクションとを含み、前記角度付きセクションは前記空気流路（１０３０）に沿って概ね層流の空気流を作り出すことによって前記空気流路（１０３０）に沿って装置内を通って動く空気の浄化を最適化する前記真っ直ぐなセクションに関してある角度を画定するハウジング（１００２）と、
ｂ）前記空気流路（１０３０）内で前記真っ直ぐなセクションと前記角度付きセクションとの交差位置に配置されたバッフル（１０７６）と、を備える空気清浄機。
【請求項２】
前記バッフル（１０７６）は前記ハウジング（１００２）に接続された狭い端部（１０７８）と前記狭い端部の反対側に位置し、前記空気流路（１０３０）内に配置された広い端部（１０８０）とを含む、請求項１に記載の空気清浄機。
【請求項３】
前記バッフル（１０７６）は１対の相対する端部と前記１対の相対する端部間に延びる１対の相対する側部とを有する細長い平面状部材から形成されており、前記１対の相対する端部は前記狭い端部（１０７８）を形成し、また前記空気流路（１０３０）に概ね垂直に前記ハウジング（１００２）に固定される、請求項２に記載の空気清浄機。
【請求項４】
前記角度付きセクションは前記真っ直ぐなセクションに対して約２０度から約６０度の間の角度を形成する、請求項１に記載の空気清浄機。
【請求項５】
前記空気清浄機は前記空気流路（１０３０）を横切って前記ハウジング内に配置されたイオン化機構を更に備えており、前記イオン化機構は前記空気流路（１０３０）内に配置されたピンアセンブリ（１０４６）を有する第１のイオン化アセンブリ（１０４３）と、前記ピンアセンブリ（１０４６）の上流で前記空気流路（１０３０）の周辺に沿って前記ピンアセンブリ（１０４６）の周りに配置されたアース部材（１０５２）と、を含む、請求項１に記載の空気清浄機。
【請求項６】
前記空気清浄機は前記空気流路（１０３０）を横切って前記ハウジング内に配置された空気移動機構（１７３、１０８６）を更に備えており、前記空気移動機構（１７３、１０８６）は：
ａ）中心部分（２０６、１０９６）と前記中心部分（２０６、１０９６）から外方向に延びる多数の支持アーム（２１０、１０９７）と前記支持アーム（２１０、１０９７）に接続されて前記中心部分（２０６、１０９６）から間隔をあけて配置された外側リング（２１２、１０９３）とを有する取付けフレーム（１７４、１０８８）と、
ｂ）前記中心部分に回転可能に取り付けられた羽根車（２１６、１０９９）と、
ｃ）前記取付けフレーム（１７４）に固定された第２のイオン化アセンブリ（５００）であって、前記リング（２１２）に取り付けられた導電性ベース部材（５０３）と前記ベース部材（５０３）から内向き放射状に延びる少なくとも１つの第１のピン（５０２）と前記中心部分（２０６）に取り付けられた少なくとも１つの第２のピンとを含む第２のイオン化アセンブリ（５００）と、を含む、請求項１に記載の空気清浄機。
【請求項７】
前記少なくとも１つの第１のピン（５０２）はイオン化ピンであり、前記少なくとも１つの第２のピン（５０４）はアースピンである、請求項６に記載の空気清浄機。
【請求項８】
前記空気清浄機は前記空気流路（１０３０）を横切って前記ハウジング内に、前記空気移動機構（１０８６）から間隔をあけて配置されたフィルタ要素（１０６４）を更に含んでおり、前記フィルタは前記第１のイオン化アセンブリ（１０４３）によって作り出された電荷とは反対の電荷を有する、請求項６に記載の空気清浄機。
【請求項９】
前記フィルタ要素は前記空気移動機構（１０８６）の上流に配置される、請求項８に記載の空気清浄機。
【請求項１０】
ａ）吸気口（１０３６）と、前記吸気口（１０３６）から間隔をあけて配置された排気口（１０３８）と、前記吸気口（１０３６）と前記排気口（１０３８）との間に延びる空気流路（１０３０）と、を画定するハウジング（１００２）であって、前記空気流路（１０３０）は前記吸気口（１０３６）または前記排気口（１０３８）のうちの一方から延びる真っ直ぐなセクションと前記真っ直ぐなセクションから前記吸気口（１０３６）または排気口（１０３８）のうちの他方に向かって延びる角度付きセクションとを含むハウジング（１００２）と、
ｂ）前記吸気口（１０３６）に隣接して前記空気流路を横切って前記ハウジング内に配置されたイオン化機構であって、前記空気流路（１０３０）内に配置されたピンアセンブリ（１９４、１０４６）を有する第１のイオン化アセンブリ（１７０、１０４３）と、前記ピンアセンブリ（１９４、１０４６）の上流で前記空気流路（１０３０）の周辺に沿って前記ピンアセンブリの周りに配置されたアース部材（２００、１０５２）と、を含むイオン化機構と、を備える空気清浄機。
【請求項１１】
前記アース部材（２００）は交差部材によって分離された１対の開口（２０４）を画定する、請求項１０に記載の空気清浄機。
【請求項１２】
前記ピンアセンブリ（１９４）は各ピン（１９８）が前記アース部材（２００）によって画定された前記開口（２０４）と同軸的に配置された１対のイオン化ピン（１９８）を含む、請求項１１に記載の空気清浄機。
【請求項１３】
前記空気清浄機は前記空気流路を横切って前記ハウジング内に、前記イオン化機構（１７０）から間隔をあけて配置されたフィルタ要素（１６２）を更に備えており、前記フィルタ（１６２）は前記第１のイオン化アセンブリ（１７０）によって作り出された電荷とは反対の電荷を有する、請求項１０に記載の空気清浄機。
【請求項１４】
前記空気清浄機は前記空気流路を横切って前記ハウジング内に配置されたフィルタフレーム（１７６）を更に備え、前記ピンアセンブリ（１９４）は前記フィルタフレームに固定され、前記フィルタ（１６２）は前記フィルタフレーム（１７６）に滑動可能に取り付けられる、請求項１３に記載の空気清浄機。
【請求項１５】
前記アース部材（２００）は前記フィルタフレーム（１７６）に固定される、請求項１４に記載の空気清浄機。
【請求項１６】
前記空気清浄機は前記フィルタ（１６２）が取外し可能に配置されるフィルタトレー（１５４）を更に備え、前記フィルタトレー（１５４）は前記空気流路に垂直に前記フィルタ（１６２）を位置決めするために前記フィルタフレームに滑動可能に係合可能である、請求項１４に記載の空気清浄機。
【請求項１７】
前記空気清浄機は前記ハウジング（１００２）に接続されて壁コンセント（電気取出し口）に係合可能である回転可能なプラグデッキアセンブリを更に備え、前記プラグデッキアセンブリ（１０２６）は：
ａ）プラグ・コンセントハウジング（１１３４）と、
ｂ）前記プラグ・コンセントハウジング（１１３４）に固定された保持リング（１１４２）であって、前記保持リングの周辺の周りに互いに９０度、間隔をあけて配置された多数の保持部材（１１８４）を含む保持リング（１１４２）と、
ｃ）前記ハウジング上に配置され、ロッキングリング（１１８２）の周辺の周りに互いに９０度、間隔を明けて配置された多数のロッキング部材（１１９０）を含むロッキングリング（１１８２）であって、前記保持リング（１１４２）は前記ロッキングリング（１１８２）内に回転可能に係合させられ、前記保持部材（１１８４）は前記壁コンセントに対して垂直または水平構成に前記ハウジング（１００２）を位置決めするために前記ロッキング部材（１１９０）に係合可能であるロッキングリング（１１８２）と、を含む、請求項１０に記載の空気清浄機。
【請求項１８】
前記空気清浄機は前記排気口（１０３８）に隣接して前記空気流路（１０３０）を横切って前記ハウジング（１００２）内に配置された空気移動機構（１０８６）を更に備え、前記空気移動機構は：
ａ）中心部分（１０９６）と前記中心部分（１０９６）から外方向に延びる多数の支持アーム（１０９７）と前記支持アーム（１０９７）に接続され、前記中心部分（１０９６）から間隔をあけて配置された外側リング（１０９３）とを有する取付けフレーム（１０８８）と、
ｂ）前記中心部分（１０９６）に回転可能に取り付けられた羽根車（１０９９）と、
ｃ）前記取付けフレーム（１０８８）に固定された第２のイオン化アセンブリ（５００）であって、前記リングに取り付けられた導電性ベース部材（５０３）と前記ベース部材（５０３）から内向き放射状に延びる少なくとも１つの第１のピン（５０２）と前記中心部分（１０９６）に取り付けられた少なくとも１つの第２のピン（５０４）とを含む第２のイオン化アセンブリ（５００）と、を含む、請求項１０に記載の空気清浄機。
【請求項１９】
前記空気流路を横切って前記ハウジング内に、前記第１のイオン化アセンブリ（１０４３）と前記第１のイオン化アセンブリ（５００）によって作り出された前記第２のイオン化との間に間隔をあけて配置されたフィルタ要素（１６２、１０６４）を更に備える、請求項１０に記載の空気清浄機。
【請求項２０】
前記角度付きセクションは前記真っ直ぐなセクションに対して約２０度から約６０度の間の角度を画定する、請求項１０に記載の空気清浄機。
【発明の詳細な説明】
【技術分野】
【０００１】
本発明は、空気清浄装置に関する。特に本発明は、通常の壁の電気コンセントによって表面に配置可能である、又は支持可能であるイオン化装置とイオン沈降分離装置とを使用して空気浄化を行う空気清浄装置に関する。
【背景技術】
【０００２】
長年に亘る屋外空気汚染の増加は、屋外空気汚染が人の健康に引き起こす可能性のあるタイプの損傷により高い意識を作り出してきた。しかしながら一般的に知られていないことは、屋内空気汚染も存在しており、人の健康に大きな影響を及ぼす可能性があることである。屋内空気汚染レベルが屋外空気汚染レベルより２〜５倍高い可能性を有することを示す最近の米国環境保護庁の研究が存在している。稀な場合には屋内空気汚染レベルが屋外空気汚染レベルより１００倍高い可能性があることは一部の人々によって推定されている。これは、一部の人々、特に幼児と高齢者は自分の時間の９０％を屋内で過ごすので、取り組まれなくてはならないますます重要な問題である。これらの屋内汚染物質の一部は、一般人口に占める非常に多くの人々を悩ませる頻繁な原因不明の頭痛または不眠の夜に寄与する要因でもあり得る。
【０００３】
空気を浄化するために設計され製造された多数の従来技術の装置が存在している。断熱・機密の高められているより多くの家庭および事務所にとって、空気清浄機の目的は、粉塵、煙、花粉、細菌、すす、カビ胞子、動物の鱗屑（ふけ）、その他の顕微鏡的刺激物を含む一般的汚染物質を屋内空気から除去し、それによって綺麗で健康的で新鮮で心地よい環境を作り出すことである。これらの装置の一部は、複雑なワイヤグリッドアレイ（針金格子配列）を使用することによって、または高電圧電極アレイを用いてイオンを発生させる。あるものは、空気を動かすためのファンとこれに類似の複雑な装置とを使用する。これら従来技術装置のあるものは、ファンと他の複雑な可動部品とフィルタとを収容する大きなハウジングに取り付けられる。しばしばこれらの装置は、汚染物質で詰まり、ファンアセンブリの分解、高電圧発生源の交換および／または修理、ワイヤのアレイと空気移動を作り出す助けとなる電極との広範な清掃、および洗浄されなければ装置を詰まらせるフィルタの交換を必要とする。これらの装置は確かに、一部のユーザが期待または所望し得るものより複雑であり、またおそらくは高価である。
【０００４】
更に空気清浄装置は、初期に浴室と台所で使用され、その結果、魅力的であるよりは機能的である傾向があった。空気清浄装置は現在、寝室と居間で使用されており、家庭内のこれらの領域で空気清浄機を使用したいと思っている消費者は、これらの領域に魅力のない機能的な容器を置くことに気乗りしない可能性がある。
【０００５】
何年もの間、水道を処理して消毒し、プールと温泉とを消毒し、ホテルおよび火災で損傷したビルディングにおける臭気を除去するためにオゾンが使用されてきた。更に最近では家庭内の空気を「浄化する」方法としてオゾン発生器が販売されてきている。オゾンは、酸素３原子から形成された分子である。不安定な分子としてオゾンは、それが出会った他の物質に酸素原子の１つを直ちに与える。オゾンが他の物質に出会うと、オゾンは１個の酸素原子を分かちこの物質を化学的に変化させる。微生物、カビ、うどん粉菌、菌類、および細菌の化学的変化は、一般にこれらの個体の死とその臭気の除去という結果をもたらす。
【０００６】
しかしながらオゾン発生器の製造業者と公衆衛生当局は、家庭におけるオゾンの使用について議論しているところである。公衆衛生当局は、オゾンが人の健康に潜在的に危険であると主張しており、オゾンが呼吸器の刺激物になり得るのでオゾン発生器は使用されるべきでないと推奨している。オゾンが空気中の有機物質と反応することを可能にする同じ化学的特性はまた、オゾンが人体内の、特に呼吸器系内の同様な有機物質と反応することを可能にする。大抵の人々は限定的な被爆に耐えることができるが、口と喉の乾燥、咳、頭痛、眼の刺激、および胸部制限のような症状は、住居内オゾン発生器によって作り出される濃度で一部の個人に発生する可能性がある。
【０００７】
更に消費者は一般に、「１つのサイズですべてに間に合わせる」空気清浄装置を望んでいない。消費者は、彼らの固有の必要性を満たすためにカストマイズできる空気清浄装置を好む。その結果、現在市場で入手可能である空気清浄装置の限界を克服し、広範囲の消費者ニーズに対処することが必要になっている。したがって必要とされることは、オゾン削減機構を含む効果的空気清浄装置を提供する方法と特定の消費者ニーズを満たすように装置を再構成する方法である。
【０００８】
更に大抵の従来技術の空気清浄装置は、装置がハウジングの表面によって容易に支持される大きなハウジングを持つように設計されたので、装置の構成要素のサイズは設計の関心事の要因ではなく、床、テーブルまたは棚といった支持面上に直接配置されるように設計される。しかしながら支持面上にあまり大きなスペースを取らず、他の事柄にも使用できるコンパクトなハウジングを有する空気清浄装置がしばしば望まれる。更に空気清浄機が配置された部屋に効果的な空気浄化をなお与えながら、空気清浄機が水平な支持面上に足跡（設置面）を持たないように、壁または他の垂直面によって支持される空気清浄機が更に望ましい。
【発明の開示】
【課題を解決するための手段】
【０００９】
本発明の第１の態様によれば、空気が空気吸気口から空気清浄機を通って空気排気口に通り抜ける空気清浄機が提供される。浄化されるべき環境からの空気は、装置の流路に沿ったほとんど任意の点で装置内に配置され得るファンによって装置の吸気口に引き込まれる。吸気口を通って装置に入った空気は、イオン化装置を通って流れる微粒子に付着するイオンを放射することによって空気流内の微粒子を効果的に帯電させる上流イオン化装置を通る。イオン化された粒子はそれから、イオン化装置によって生成されたイオンの電荷とは反対の電荷を有するように製造されたイオン化装置の下流に配置されたフィルタ要素によって捕獲される。帯電粒子とこれらとは反対に帯電したフィルタとの間の引力によって帯電粒子は、フィルタ内に捕獲され、フィルタを通って装置の外へ出て行く空気から除去される。イオン化装置は、微粒子に付着するイオンが生成されるイオン化針とイオン化針から間隔をあけて配置されるアースプレートとで構成される。アースプレートは、装置内を通る空気の流路に沿ったイオン化針からのイオンの分散に焦点合わせする仕方でイオン化針からのイオンの分散を制限するように機能する。言い換えれば、イオン化針によって生成されたイオンは、本質的に装置内に収容されており、静電気の放電を引き起こして装置付近の個人にショックを与えるのに十分な静電気を生成できるイオン化雲を装置の外側に作り出すことはできない。更にイオン化針は、装置内を通るイオンの流れを最大にするために、イオン化針またはイオン化ピンの先端からのイオン生成を最大にするためにできるだけ鋭い形状を持つように形作られる。イオン化ピンのためのこの構成はまた、装置を通るイオンを方向付けることにおいてアースプレートの助けとなる。
【００１０】
本発明のもう１つの態様によれば本装置は、上流イオン化装置に加えて、または上流イオン化装置なしで下流イオン化装置を含むことができる。下流イオン化装置は、装置のコンセント端部に隣接して配置され、イオン化ピンとアースプレートとを有する上流イオン化装置と同様に構成される。このピンは、装置内の空気流路と反対の方向、または同じ方向を指すように方向付けられることが可能であり、ピンを通過する空気内の微粒子を帯電させるように機能する。アースプレートは、如何なる静電気放電問題も実質的に減らすためにピンによって形成されたイオンが装置内に収容されることを保証するように動作する。しかしながら下流イオン化装置はフィルタより下流に配置されるので、イオン化装置ピンからのイオンによって帯電させられた粒子は、ファンによって装置のコンセントの外に向けられる。粒子の帯電状態によりこれらの粒子は、微粒子が静止するテーブル、床などといった室内の種々の反対に帯電した表面に引き付けられる。これらの微粒子はその後、これらの表面から拭き取られ得る。
【００１１】
本発明の更にもう１つの態様によれば本装置は、装置の駆動に先立ってフィルタとハウジングが装置内に配置されることを保証するために、装置のロックアウト特徴として機能する帯電フィルタ要素のためのハウジングを含む。上流イオン化装置の駆動に先立って反対に帯電させられたフィルタが装置を通る流路内に配置されることを確実にすることによって、上流イオン化装置によって生成されたイオンは、装置の外側での如何なる静電気放電も避けるために装置内にイオンを保持しつつ、反対に帯電させられたフィルタによってイオンの大部分は捕獲されるので、装置内に効果的に保持される。
【００１２】
本発明のなお更なる態様によれば本装置は、装置が動作しているときにフィルタによって収集された特定の物質の量を決定できる、またフィルタが洗浄または交換される必要があるという指示を人に与えるための、１つ以上の多数の異なるフィルタ使いきり合図を含むことができる。
【００１３】
本発明の更にもう１つの態様によれば本装置を通る空気流路は、装置内に引き込まれる空気のために実質的に層流を作り出して、装置の効率を上げるように設計される。これは、装置内および装置外への空気流に所望の角度をつけるための、装置内での内部流路の構成によって達成される。この実質的に層流の流れは、装置のハウジングの構造及び、任意選択的にハウジング内に配置されるバッフルとによって達成され、浄化されるべき空気を装置内に引き込むように、また装置内に配置されたバッフル（単数または複数）と連携して約４５度の角度で装置から外へ空気を向けるように機能する。
【００１４】
本発明の更にもう１つの態様によれば本ハウジングは、通常の壁の電気コンセントから、ならびに装置への電源から装置を支持可能な装置の空気流チャンバから間隔をあけて配置された適当な電源への接続部としてのプラグデッキアセンブリを含む。このプラグデッキアセンブリは、装置を水平または垂直な壁コンセントから垂直に位置決めするために装置に回転可能に固定された、コンセントに係合可能でハウジング内に配置される１対のプラグを含む。このハウジングはまた、空気清浄機が支持されるコンセントから空気清浄機以外の装置に電力を供給するための能力を与えるために多数のコンセントを含む。
【００１５】
本発明のこれらおよび他の態様と目的は、下記の説明と付属図面とに併せて考察されるときによりよく評価され、理解されるであろう。しかしながら下記の説明が本発明の好適な実施形態を示しながら、限定ではなく例示として与えられていることは理解されるべきである。本発明の精神から逸脱せずに本発明の範囲内で多くの変更と修正が実施可能であり、本発明はすべてのこのような修正を含む。
【発明を実施するための最良の形態】
【００１６】
本発明とそれの種々の特徴と有利な細部とは、下記の説明において詳細に説明される非限定的実施形態を参照しながらより十分に説明される。
【００１７】
本発明にしたがって構成される空気清浄機装置は、図１〜４において一般に１００で示される。装置１００は、カバー１０４を組み込んだ前部ハウジング１０２と後部ハウジング１０６とを含む外面１０１を有し、各ハウジングが剛性材料、好適にはプラスチック材料といった非導電性材料から形成されている。装置１００は、装置１００の動作を可能にするために適当な電源（図示せず）に接続され得るプラグ１０５を含む。再充電可能であり得る内部バッテリといった他の電源（図示せず）も利用可能である。前部ハウジング１０２は、それの下端部１０７でカバー１０４と概ね対向して、図４に最もよく示されている揮発物ハウジング１１０へのアクセスを可能にする凹部１０８を含む。更にカバー１０４と凹部１０８との間に、前部ハウジング１０２はライトパイプ、またはＬＥＤライトといった任意の他の適当なタイプのライトの形を取り得るインジケータライト（表示灯）１１２を含む。
【００１８】
前部ハウジング１０２は、カバー１０４が内部に配置される開口１１４を、凹部１０８に相対するように（反対側に）、画定している。開口１１４は、浄化のために装置１００内に引き込まれる空気が装置１００内で浄化された後に室内に開口１１４を通して排出されるように装置１００の排気ポートとして機能する。前部ハウジング１０２はまた、前部ハウジング１０２から後方に延びて、付属の留め具（ファスナー）（図示せず）を用いて前部ハウジング１０２を後部ハウジング１０６に固定するために使用される多数のスリーブ１１６を含む。
【００１９】
カバー１０４は、前部ハウジング１０２の開口１１４の形状に相補的な形状を有し、開口１１４内に係合可能なベース１１８とベース１１８内に形成された開口部１２２を横切って延びる中央支持体１２０とを含む。カバー１０４の露出面を、装置１００から出て行く空気が流れ得る多数の特定の空気流スロット１２６に分割するために、多数の羽根（ベーン）またはルーバ１２４がベース１１８から開口部１２２と中央支持体１２０とを横切って延びている。開口１１４と羽根１２４の形状と数は所望にしたがって変えることができ、羽根１２４は、所望の場合に人が装置１００の出力空気流を方向付けすることを可能にするために調整可能であるように構成され得る。更にカバー１０４とそれの構成部分の各々は、前部カバー１０２の一体部分として形成できる。
【００２０】
後部ハウジング１０６は、装置１００の足跡（設置面）を形成する支持ベース１２８を含むものとして図示されている。ベース１２８は、ベース１２８から上方に延びるフレームであって、その間に多数の空気流吸気口スロット１３６を画定するために多数の羽根またはルーバ１３４が横切って伸びる開口部１３２を画定するフレーム１３０を支持する。特に好適な実施形態では、所望にしたがって形状が変えられ得るフレーム１３０は、装置１００内を流れる空気の浄化および／または洗浄を最適化するように設計された、ベース１２８に対するある角度でベース１２８から上方に延びる。好適にはこの角度は装置１００に対して２０度と５０度との間にある。前部ハウジング１０２上のカバー１０４と同様に開口部１３２と羽根１３４の形状と数は、所望にしたがって変更でき、羽根１３４は後部ハウジング１０６に対して調整可能であるように形成され得る。ベース１２８はまた、適当な留め具を使用して後部ハウジング１０６を前部ハウジング１０２に固定するために前部ハウジング１０２上のスリーブ１１６に位置合わせされた多数のスリーブ１３８を含む。しかしながら前部ハウジング１０２と後部ハウジング１０６との相互の適当な接着、または熱溶接または超音波溶接といった、前部ハウジング１０２と後部ハウジング１０６とを相互に取り付ける任意の他の適当な手段が使用可能である。
【００２１】
前部ハウジング１０２と後部ハウジング１０６との間には、揮発物ハウジング１１０を後部ハウジング１０６に取り付けるために後部ハウジング１０６のスリーブ１３８と位置合わせ可能な多数の固定チャネル１４４が配置されたフレーム１４２を含む揮発物ハウジング１１０が配置される。更に揮発物ハウジング１１０は、一端でフレーム１４２に接続され、反対の端部にフレーム１４２とバイアス機構１４６との間に空間１４９を画定するためのハンドル１４８を有するバイアス機構１４６を含む。機構１４６は、ハウジング１１０内への揮発物容器１４０の挿入時に偏向させられ（湾曲させられ）、また機構１４６の固有のバイアスによって、この容器を固定してこれに係合する。ハウジング１１０内に保持されるとき揮発物容器１４０は、適当な放出機構またはバルブ（図示せず）の使用といったことによって浄化された空気に芳香を付けるためにハウジング１１０内を通る空気流内に制御された量の揮発物を放出できる。これに続いてハンドル１４８は、機構１４６を解放して、揮発物容器１４０が交換のためにハウジング１１０から取り外されることを可能にするために操作され得る。ハウジング１１０はまた、ハウジング１１０内に保持されるべき液体、ゲル、固形物などといった種々の形の揮発物を保持する揮発物容器１４０を使用可能にするように修正され得る。またハウジング１１０は、ハウジング１１０とこのハウジング１１０内に保持された容器１４０とが所望の場合に装置１００を通る空気流に揮発物を放出することを可能にするために、装置１００内の他の位置に移動または調整され得る。更にハウジング１１０は、常夜灯として機能するために揮発物容器の直ぐ背後でハウジング１１０に配置された照明要素（図示せず）を組み込むことができる。
【００２２】
支持ベース１２８に相対する（反対側の）後部ハウジング１０６の上端部１５０は、開口部１５２を含む。開口部１５２は、図２、４に最もよく図示されているフィルタトレー１５４を取外し可能に受けとることができる。フィルタトレー１５４は、概ね矩形の保持フレーム１５６とこのフレーム１５６の一端に取り付けられたハンドル１５８とを含む。トレー１５４が開口部１５２内に完全に挿入されると、ハンドル１５８は装置１００に審美的に感じのよい外観を与えるために、概ね上端部１５０の形状に合致する。フレーム１５６は、トレー１５４内に高速空気流フィルタ１６２を保持するために、好適には内方延長周辺フランジとして形成された保持部材１６０を含む。フィルタ１６２は、フィルタ１６２が装置１００内に配置された１つ以上のイオン化アセンブリ１７０および５００と適切に連携して機能するために電荷を含む。好適にはトレー１５４は、図３〜５に最もよく図示されていて装置１００内に配置された適当なロックアウト機構１６４に係合可能である。装置１００が動作させられるために、フィルタトレー１５４とフィルタ１６２は、ロックアウト機構１６４を解放して装置１００の動作を可能にするためにハウジング１０６内に完全に挿入されなくてはならない。好適な実施形態ではロックアウト機構１６４は、開口部１５２に位置合わせされて開口部１５２に概ね対向して装置１００内に配置され、また装置１００を動作させるために使用される電源に動作可能に接続されたハウジング１６６を含む。機構１６４はまた、ハウジング１６６から外方向に延びる多数の弾性接点１６８を含む。トレー１６２が開口部１５２内に挿入されると、トレー１６２は、接点１６８に係合してこれを反らせ、装置１００内の電力回路（図示せず）を完成させて装置１００が動作させられることを可能にする。もしトレー１６２が装置１００内の完全に挿入された位置になければ、トレー１６２は電力回路を完成させるように接点１６８に係合せず、装置１００は動作しない。
【００２３】
フィルタ１６２は、フィルタ１６２が汚れたときにトレー１５４全体が交換されなくてはならないようにトレー１５４に永久的に係合させられることが可能であり、あるいはフィルタ１６２は、フィルタ１６２だけが交換される必要があるようにトレー１５４に取り外し可能に固定され得る。フィルタトレー１５４はまた、トレー１５４の片側に沿って配置されてフィルタ１６２の片側の溝（図示せず）に適合可能なバー（図示せず）、またはフィルタ１６２の切り落とされたか延長された部分（図示せず）を収容するトレー１５４の凹んだ、または延長されたコーナーといったトレー１５４内のフィルタ１６２の不適当な配置を防止するための種々の手段を含み得る。更にトレー１５４は、揮発物容器１４０がトレー１５４と一体部品として交換できるようにトレー１５４の一部として揮発物容器１４０を含む構造体（図示せず）を含み得る。しかしながら特定の構成とは無関係に、揮発物容器１４０は、フィルタ１６２より下流に配置されるか、あるいは容器１４０から放出される揮発物は揮発物がフィルタ１６２によって空気流から除去されないように空気がフィルタ１６２を通過した後に空気流に放出される。
【００２４】
装置１００はまた、フィルタ１６２が交換されることを必要とするときを人に図示できる多数の適当な使いきり合図（図示せず）の１つを含み得る。利用され得るフィルタ使いきり合図の種々のタイプの例は、装置１００からのトレー１５４の別々の解放の間または取外しの間の時間間隔に基づいて特定のフィルタ要素１６２が装置１００内で使用された時間の長さを決定するリセットスイッチを有するタイマーと、フィルタ１６２上に集められた微粒子物質の量を感知するフォトアイ（感光眼）と、フィルタ１６２を通過する空気流を感知するための空気流または空気速度メータと、中でもフィルタ１６２上に位置する、またはフィルタに隣接して位置する機械的障害物と、を含む。更にこれらの使いきり合図のいずれかは、フィルタ１６２が交換を必要とする可聴的および／または可視的指示を与えるために装置１００上に配置された可聴または可視表示装置（図示せず）に動作可能に接続され得る。
【００２５】
ベース１２８に対する後部ハウジング１０４上のフレーム１３０の角度は装置１００を通る空気流路を画定し、後部ハウジング１０６の吸気端部において基本的に水平であって、経路が装置１００を通って前部ハウジング１０２の排気端部において装置から出て行くときに２０度から５０度の間のある角度で上方に傾斜する。特に好適な実施形態ではベース１２８とフレーム１３０との間の角度は４５度である。空気流路のこの角度は、前部ハウジング１０２の開口１１４を通って装置１００を出て行く浄化された空気が後部ハウジング１０２の開口部１３２を通って装置１００内に引き込まれつつある空気のレベル又はそのレベルより上の方向に装置１００から放出されることを可能にする。こうして、浄化された空気は、浄化された空気が直ちに装置１００内に引き戻されることを防止し、更なる量の未浄化空気が装置１００内に引き込まれることを可能にしながら浄化された空気が遥かに多く実質的に部屋中に循環することを可能にする方法で、装置１００から放出される。更に装置１００を通る空気流路の角度は、装置１００を通る空気流が実質的に層流になることを可能にする。装置１００を通る空気流における乱流の大幅な減少は、空気がフィルタ１６２と、後述のイオン化アセンブリ１７０とによってより効率的に浄化されることを可能にする。
【００２６】
図３〜６を参照すると、粒子を帯電させて、これらの粒子が空気流に引き寄せられ、また既知の方法でフィルタ１６２によって空気流から除去されることを可能にするために、空気流のいたるところに放出される粒子への付着のための電子／イオンを生成するイオン化アセンブリ１７０が図示されている。このアセンブリは、好適な実施形態では、プラスチック材料といった非導電性材料で形成され、フレーム１３０の開口部１３２に隣接して装置１００内で後部ハウジング１０６内に配置された概ね矩形のイオン化装置フレーム１７６を含む。イオン化装置フレーム１７６は、フレーム１３０の上端部１５０における開口部１５２の一部分の形状に適合し、この部分内に配置される上端部１７８と、支持ベース１２８と係合可能な下端部１８０とを有する。フレーム１７６は、開口部１３２から装置１００内に流入する空気が流れ得る概ね矩形の開口部１８２を上端部１７８と下端部１８０との間に画定するが、開口部１８２の他の形状も利用可能である。開口部１８２の片側にフレーム１７６は、フレーム１７６の周りで上端部１７８の一方側から上端部１７８の反対側に延びるＵ字形周辺壁１７５を含む。壁１７５と下端部１８０はこれらの間に、上端部１７８によって遮られない開口部１８２の部分に位置合わせされ、そこにトレー１５４を滑動可能に受け入れるように寸法決めされたチャネル１７７を画定する。多数のブレース（補強材）１８１によって壁１７５に更に接続された１対の固定フランジ１７９が、壁１７５の各サイドから外に向かって延びている。後部ハウジング１０２内に配置された適当な構造体（図示せず）上にフレーム１７６を係合させて保持するために役立つ多数の保持部材１８３は、フランジ１７９の各々の上に、また開口部１７２と相対する（反対側の）下端部１８０上に配置される。またトレー１５４に対してロックアウト機構１６４を適切に位置決めするためにロックアウト機構１６４を受け取る下端部１８０に隣接するフレーム１７６のコーナーの１つにチャンバ１８５が配置される。
【００２７】
開口部１８２は、下端部１８０から上端部１７８の直下に位置するブレース１８６まで開口部１８２を横切って延びる、好適にはフレーム１７６と一体的に形成されるイオン化装置支持体１８４によって横切られる。支持体１８４は、概ねＵ字形であって、中央壁１９０の相対する側面から垂直に延びる１対の側壁１８８を含む。支持体１８４は、イオン化装置ピンアセンブリ１９４が固定され得る側壁１８８間で支持体１８４内に配置される１対の固定部材１９２を含む。アセンブリ１９４は、銅または黄銅といった導電性金属から形成され、イオン化装置支持体１８４内に配置可能なベース部材１９６とベース部材１９６に接続され、ベース部材から外方向に延びる１対のイオン化ピン１９８とを含む。イオン化ピンアセンブリ１９４のための１つの好適な構成が図６に示されているが、追加のピン１９８がベース部材１９６上に設けられる他の実施形態も考えられる。ピン１９８は、ベース１９６と一体に形成され得るか、あるいは半田付けといったことによってベース１９６に固定されることが可能で、支持体１８４から外方向に、好適には後部フレーム１０６の開口部１３２に向かって上流方向に延びる。ピン１９８は、ピン１９８の各々の上で支持体１８４に固定されたクリップ１９５によって支持体１８４内の適所にカバーされて保持される。クリップ１９５は各々、隣接するピン１９８の先端が延び得る開口部１９７を含むが、クリップ１９５はピン１９８の残り部分と支持体１８４内のピン１９８に直ぐ隣接するベース部材１９６の部分とに係合して保持する。電源への接続のために支持体１８４から外方向に延びるベース部材１９６の部分は、フレーム１７６上に直接形成されたクリップ１９５ａによってフレーム１７６に固定され得る。支持体１８４内に固定された後にアセンブリ１９４は、イオン生成のためにピン１９８に必要な電圧（すなわち２〜２０ｋＶ間の、好適には２〜１０ｋＶ間の、最も好適には２〜５ｋＶ間の）を供給するためにベース部材１９６を介して装置１００のための電源に電気的に接続される。ピン１９８は、ピン１９８の各々からの電子またはイオンの放射を最大にするために、できるだけ鋭利であるように形作られる。アセンブリ１９４からの電圧漏洩を減らすためにアセンブリ１９４全体はアセンブリ１９４からのイオン発生を最大にするようにイオン化装置支持体１８４とイオン化装置フレーム１７６の両者から電気的に絶縁される。これは好適な実施形態では、アセンブリ１９４とフレーム１７６との間の必要な接続部の数を最小にするために、アセンブリ１９４をできるだけ小さくすることによって、すなわち単にクリップ１９５、１９５ａを経由することによって、またフレーム１７６を非導電性材料から形成することによって、達成される。
【００２８】
アセンブリ１９４上でピン１９８によって生成されるイオンの有効度を最大にするために、イオン化装置フレーム１７６はまた、ピンアセンブリ１９４より上流でイオン化装置フレーム１７６に配置される、図４〜６に最もよく図示されているアースプレート２００を含む。アースプレート２００は、概ね矩形の周囲を有するプレート２００を形成するために各セクション２０２の相対する端部の位置合わせされた開口部２０３を通して挿入される適当な留め具（図示せず）を使用して互いに固定される概ね正方形の１対のセクション２０２を含む。プレート２００は、プレート２００の上端部と下端部に概して平行にプレート２００を横切って延びる交差部材２０５によって、２つの概して正方形の開口２０４を形成するために分割される。代替形態ではプレート２００は、導電性材料の単一の一体片(unitary piece)から形成され得る。開口２０４の形状は、ピン１９８の各ピンの軸が近似的に各開口２０４の中心を通って延びるようにイオン化装置アセンブリ１９４内のピン１９８の位置決めにしたがうように形成される。アースプレート２００は、任意の適当な留め具２０６または他の接続手段を使用してフレーム１７６上の相補的構成要素に位置合わせされて固定された各セクション２０２と一体に形成されて各セクション２０２から外方向に延びるタブ２０７によって開口部１８２の周囲の周りでイオン化装置フレーム１７６に固定される。ピン１９８の周りの上流のプレート２００の位置は、ピン１９８によって生成された帯電電子／イオンがアースプレート２００を通って開口１１４を通り抜けて装置１００の外へ出て行くのを防止するように作用する。これは、電子／イオンが装置１００から出て行くことを抑止するようにアースプレート２００が作用するので、ピン１９８によって生成された電子／イオンが装置１００の前部ハウジング１０２から外方向に向かう代わりにフィルタ１６２に向かって装置１００内を通って流れることを保証する。これは、次には電荷が蓄積され吸気口付近における人への静電気の放電の可能性を生じさせる雲を、電子／イオンが装置１００のための吸気口の外側に形成することを防止する。アースプレート２００はまた、フレーム１７６を通るピン１９８からの電子／イオンの方向を最大にするためにフレームからアースプレート２００を電気的に絶縁する方法でタブ２０７を使用してイオン化装置フレーム１７６に取り付けられる。アースプレート２００とアースプレート２００を形成するそれぞれのセクション２０２とは、最も少ない数の取付け点、すなわちタブ２０７でイオン化装置フレーム１７６にセクション２０２の各々を簡単に取り付け、それにより、アースプレートの作用によるフレーム１７６からの干渉の可能性を減らすことによってプレート２０２がより容易に電気的に絶縁されることを可能にするために、できるだけ薄くなるように形成される。この結果はまた、アースプレート２００の構成と同じまたは異なる構成のイオン化装置フレーム１７６上に配置される導電性ワイヤ（図示せず）からアースプレート２００を形成することによって達成され得る。
【００２９】
さて図３、４、７、８を見ると、空気と空気内に保持された微粒子とを後部ハウジング１０６を経由して装置１００内に引き入れるために、概してフィルタトレー１５４とフィルタ１６２とに相対する前部ハウジング１０２に、ファンアセンブリ１７３が固定される。アセンブリ１７３は、中心ハウジング２０６内に配置されたモータ巻線（図示せず）に動作可能に接続された回転可能シャフト２０８を含む中心ハウジング２０６を有するファン取付けフレーム１７４を含む。中心ハウジング２０６は、中心ハウジング２０６から放射状外方向に延びて、中心ハウジングとは相対する周辺取付けリング２１２に接続された多数の支持アーム２１０によってフレーム１７４内にほぼ同軸的に支持される。リング２１２は、前部ハウジング１０２の開口１１４とサイズ的にほぼ等しく、またファン取付けフレーム１７４を前部ハウジング１０２に取り付けるために前部ハウジング１０２上に配置された固定部材（図示せず）と位置合わせされる開口２１４を含む多数の外方向に延びるセクション２１３を含む。アーム２１０の各々はまた、概してＵ字形であることが可能であり、および／またはモータを動作させてシャフト２０８を回転させるためにモータに動作可能に接続された配線（図示せず）を固定するために使用される、アーム２１０の片側に沿った多数のタブ２１１を含むことが可能である。中心ハウジング２０６上のシャフト２０８に固定される羽根車（インペラ）またはファン２１６は、シャフト２０８に取付け可能でシャフトから外方向に放射状に延びる多数のブレード２２０を有する中心部分２１８を含む。ブレード２２０は、所望される如何なる形状でも取ることができるが、好適には構成的にらせん状である。ファン２１６の中心部分２１８は、装置１００が動作しているときにファン２１６が中心部分２０６及びシャフト２０８の上に留まることを保証するためにキャップ（図示せず）または他の係合部材といった任意の適当な手段を使用してフレーム１７４のシャフト２０８上に保持される。フレーム１７４上のファン２１６の位置は、ファン２１６が本質的に軸方向に空気を装置１００内に引き入れることを可能にし、装置１００内を通る層流の空気流を生成するのを助ける。ハウジング２０６はまた、ファン２１６の動作寿命を延ばし、装置１００内での可能性のあるオゾン発生を減らすためにファン２１６の動作中に生成される熱の一部を除去できるヒートシンク（図示せず）を含み得る。
【００３０】
図３、７、８において、装置１０の動作を制御するために、前部ハウジング１０２と後部ハウジング１０６との間で装置１００に固定されたスイッチ３００が使用される。スイッチ３００は、装置１００の上端部に固定され、また電源と、インジケータライト（表示灯）１１２、ファンアセンブリ１７３内のモータ、およびイオン化装置アセンブリ１９４とアースプレート２００、ならびに装置１００の特徴要素の各々を選択的に動作させるための、任意選択的常夜灯といった装置１００上での電力を必要とする任意の更なる特徴要素への接続部との間で装置１００の電源に動作可能に接続される。スイッチ３００は、ファン２１６の種々の動作速度に対応するし、また、各々が装置１００の他の特徴要素を動作させることもできる多数の異なる位置の間を動かされ得る。スイッチ３００は、人によって接触され得る装置１００の上面の上に配置された上部３０２と、スイッチ３００が装置１００に滑動可能に固定されることを可能にする溝３０６によって分けられた下部３０４と、を含む。上部３０２はまた、個人が装置１００に関する所望の動作条件を選択することを可能にするために装置１００上のしるし（図示せず）と選択的に位置合わせ可能である装置１００に関する種々の動作条件に対応するしるし３０８を含む。下部３０４は、ファン取付けフレーム１７４に接続されたスイッチハウジング３１０内に配置されたスライド制御スイッチ３０８に動作可能に接続される。制御スイッチ３０９は、装置１００の電気的に動作させられる構成要素の各々に、また所望にしたがってこれらの構成要素を動作させるために配線（図示せず）といったものによって装置１００の動作を監視して制御する制御ユニット６００に、直接接続される。人による上部３０２と下部３０４の移動は、制御スイッチ３０８の同様の動きを生じさせ装置１００を選択的に動作させる。
【００３１】
制御ユニット６００は、ファン２１６がＬＯＷ（低速）、ＨＩＧＨ（高速）およびＯＦＦ（停止）といった異なる速度設定で動作させられることを可能にする。制御ユニット６００はまた、個人によって指示されたとおりに装置１００の種々の構成要素を選択的に動作させるように動作可能であり得る。例えば制御ユニット６００は、イオン化アセンブリ１７０と５００を互いに連携して、または互いに別々に動作させることができる。更に制御ユニット６００は、ファンアセンブリ１７３をイオン化アセンブリ１７０、５００のどちらか、または両方と同時に、またはアセンブリ１７０または５００のどちらとも同時ではなく動作せせることができ、あるいはファンアセンブリ１７３なしでイオン化アセンブリ１７０、５００の一方または両方を動作させることができる。
【００３２】
図３に最もよく図示されているように動作時に、スイッチ３００が電源に装置１００を動作するよう接続するために動かされると、ファン２１６は後部ハウジング１０６の開口部１３２を通って装置１００内に空気を引き入れるように動作させられる。後部ハウジング１０６を経由して引き込まれた空気流内の浮遊微粒子は、開口部１３２に隣接して配置されたイオン化アセンブリ１７０によって作り出された電子／イオンの雲に接触する。これらの電子／イオンは、微粒子と自由電子／イオンとを装置１００の内部に方向付ける、ピン１９８と開口部１３２との間のアースプレート２００の位置によって開口部１３２を通って装置１００から出て行くことを妨げられる。ピン１９８からの電子／イオンに接触し、続いて電子／イオンによって帯電させられた微粒子は、空気流から微粒子を除去するために電子／イオンの電荷とは反対の電荷で形成されたフィルタ１６２内を通ってフィルタ１６２によって引き寄せられる。空気流の残り部分は、フィルタ１６２を通って装置１００の外に向けられたファン２１６を過ぎて前部ハウジング１０２を通り抜ける。任意選択的に、前述のようにフィルタ１６２を通過した後に空気流には揮発物容器１４０からの揮発物が導入されることが可能である。後部ハウジング１０６に対する前部ハウジング１０２の向きは、空気流内の微粒子の量を最も効果的に減らして、装置１００の相応する清浄空気送出速度（ＣＡＤＲ）を高めるために、前述のように装置１００の吸気口と排気口との間に好適な４５度の角度を与え、それによって装置１００を通る最適の空気流の流れを作り出す。後部ハウジング１０６と前部ハウジング１０２との間に画定される流路の角度は、装置１００を流れる空気の滞留時間が真っ直ぐな流路を有する装置におけるよりも長く、それによって装置１００とフィルタ１６２とにおいて生成された電子／イオンが空気流からより多量の微粒子を除去することを可能にするという点で装置１００に利益をもたらす。これは、斜めの流路に沿った遅い空気流のために、電子／イオンが微粒子に付着して帯電させるためにより長い時間を有し、またフィルタ１６２が帯電微粒子を引き寄せてフィルタ１６２に付着させるためにより長い時間を有するからである。したがってある一定の範囲内（例えば０．７５ｍ／ｓと１．００ｍ／ｓの間）にあるファン２１６によって作り出された空気流速度と連携して、装置１００内の流路の角度は空気のより効率的な浄化を可能にする。
【００３３】
図７、８に最もよく図示されている装置１００の特に好適な実施形態では装置１００はまた、下流イオン化装置アセンブリ５００を含み得る。このアセンブリ５００は、前部ハウジング１０２のカバー１０４に直ぐ隣接して配置されることが可能であり、ベース部材５０３上で前部ハウジング１０２の内部の周りに配置された多数のイオン化ピン５０２と、ピン５０２より下流でカバー１０４の中心に、または中心付近に配置されたアース部材５０４と、を含む。ピン５０２は、装置１００を出て行く微粒子が帯電されるように、フィルタ１６２を通過した空気流内の如何なる残留微粒子にも引き寄せられるより多くの電子／イオンを生成する。この帯電に基づいて微粒子は、テーブル、椅子、床などを含む装置１００の周りの周囲環境における種々の接地表面に引き付けられるので、微粒子はこれらの表面に付着して空気からこれら残留微粒子を効果的に除去する。特に好適な実施形態ではイオン化ピン５０２は、ピン５０２が放射状に内方向を指すことを可能にし、フィルタ１６２を通過した後に空気流内に残留する微粒子にピン５０２によって生成された電子／イオンを接触させる有効度を最大にするために、ファン取付けフレーム１７４の周辺取付けリング２１２に電気的に絶縁された仕方で取り付けられたベース部材５０３上に配置される。アースピン５０４は好適には、ピン５０２によって生成された電子／イオン雲のために利用可能な空間を最大にするために、しかしまた自由電子／イオンがカバー１０４を通って装置１００から出て行くのを防止し、それによって装置１００の排気口における如何なる静電気放電の可能性も最小にするために、ピン５０２から指定された距離だけ離れてフレーム１７４と同軸的にフレーム１７４またはカバー１０４の上に配置される。しかしながらこの構成はまた、ピン５０２がファン取付けフレーム１７４上に配置されたアース部材５０４と共にカバー１０４の周りに取り付けられ得るように逆にされることも可能である。アース部材５０４はまた、ピン５０２に類似の追加のピン（図示せず）またはアースプレート２００に類似のアースプレート（図示せず）を備えることも可能であろう。更に下流端における装置１００の外側での相応する静電気の蓄積の影響を制限するのに役立てるために、下流イオン化アセンブリ５００に供給される電力は、上流イオン化アセンブリ１７０で使用される電力より少なくできる。これは、フィルタ１６２（イオン化アセンブリ５００が達成するにはより少ない電力を必要とする）にではなく、装置１００の外側の接地面に引き付けられる微粒子を十分に帯電させるためだけにアセンブリ５００が動作しているからである。
【００３４】
装置１００に関する上記の特徴と実施形態に加えて、多数の異なる変形版と代替版とが本発明の範囲内にあると考えられる。特に装置１００の内部構成要素の構成は、イオン化アセンブリ１７０、５００が装置１００の上流または吸気端部、および／またはイオン化アセンブリ１７０、５００の１つに隣接して、またはこれから間隔をあけてといった任意の位置に垂直に配置されたファン２１６と共に装置１００の上流または下流の端部いずれかに配置され得るように変更可能である。またファン２１６は、好適な実施形態で図示された形状以外の、回転かごファンといった任意の適当な形を取り得る。更に装置１００は、ユニットが電源コードに取り付けるために必要な量のコードだけを使用することを可能にする引っ込み式コード機構（図示せず）を含み得る。装置１００には、常夜灯と音といった、また白色雑音、選択された雑音トラック（滝、波、風など）またはラジオかどうかといった他のオプションが追加できる。装置１００はまた、装置１００が更にアラームクロック（目覚まし時計）として機能することを可能にするためにクロックを含むことも可能であり、任意選択的に装置１００とクロックの両者の動作に関する遠隔制御を伴ってもよい。装置１００で利用され得る他の特徴は、酸素、正イオン、温または冷空気、加湿または除湿空気、および装置１００を通る空気流への他の添加物の生成を含んでおり、また装置１００を通る空気流から種々の臭気、刺激物、オゾン、窒素または湿気を除去するために利用され得る。更に装置１００内を流れる空気に含まれる如何なる病原菌、細菌、ウイルス、またはカビおよびうどん粉菌をも殺すために装置１００内には、種々の消毒または殺菌手段が含まれ得る。
【００３５】
また装置１００によって作り出される動作とＣＡＤＲとを最適化するために装置を通って流れる空気の空気速度が制御されるべきであることも考えられる。特に空気流は、イオン化アセンブリ１７０によって生成されるイオンが装置１００を通って流れる空気中の微粒子に付着するために、またフィルタ１６２によって集められるべきイオン化微粒子のために十分な時間を持つことを可能にするために、装置１００を通る可能な最大空気流より低い指定された範囲内に維持される。もし空気流速度がこの範囲より低ければ不十分な空気流がフィルタ１６２を通過することになり、もし空気流速度が高すぎれば、微粒子はあまりに速く動きすぎてフィルタ１６２はイオン化微粒子を捕捉して保持することができない。
【００３６】
さて図９〜１８を参照すると、本発明にしたがって構成された空気清浄機の第２の実施形態が一般に１０００で示されている。装置１０００は、各々が互いに固定されていて装置１０００のために最上部１００６と底部１００８とを形成するために協同している前部ハウジング１００２と後部ハウジング１００４とを含む。図９〜１３に最もよく図示されているように装置１０００の前部ハウジング１００２は、下部吸気口ポート１０１２と上部排気口ポート１０１４とを有する非導電性材料、好適にはプラスチック材料の一体片１０１０から形成される。下部ポート１０１２は、概ねアーチ状形状で形成され、上部ポート１０１４は好適には、形状的に概ね円形であるように形成されるが、ポート１０１２と１０１４のために他の適当な如何なる形状でも利用され得る。前部ハウジング１００２はまた、後述の理由のためにポート１０１２と１０１４とを互いに斜めに配置するように形成される。
【００３７】
前部ハウジング１００２は、装置１０００の内部を取り囲むように、ポート１０１２と１０１４とが概ね相対する後部ハウジング１００４に接合される。図１１〜１３に最もよく図示されているように後部ハウジング１００４は、後部ハウジング１００４を形成するために互いに接合される１対のサイドパネル１０２２を含む。各サイドパネル１０２２は、回転可能なプラグデッキアセンブリ１０２６に係合することに適応したベース部１０２４と、反対側のサイドパネル１０２２上に配置された鏡像構造体と連携して角度付き空気流チャンバ１０３０を画定するサイドプレート１０２９とメインプレート１０３２とを含む主要部１０２８と、を含む。ベース部１０２４と空気流チャンバ１０３０は、サイドパネル１０２２各々の長さを延長するメインプレート１０３２によって分離される。サイドパネル１０２２は、ベース部１０２４とメインプレート１０３２との間で互いに位置合わせされて各サイドパネル１０２２上に配置された固定スリーブ（図示せず）内で係合可能である留め具（図示せず）といった任意の適当な手段を使用して、あるいはパネル１０２２の種々の連動部（図示せず）といった他の適当な固定手段、またはサイドパネル１０２２を互いに直接固定する接着または超音波溶接によって、互いに固定される。
【００３８】
後部ハウジング１００４内の組み立てられたサイドパネル１０２２によって画定される空気流チャンバ１０３０は、前部ハウジング１００２内のポート１０１２に隣接して配置された吸気口１０３６と前部ハウジング１００２内のポート１０１４付近に配置された排気口１０３８とを含む。吸気口１０３６と排気口１０３８は、装置１００に関して前に説明された理由から互いに斜めに配置される。
【００３９】
吸気口１０３６は、好適には形状的に概ね矩形または正方形であって、吸気口１０３６の上でサイドパネル１０２２に固定されるか、あるいは好適にはサイドパネル１０２２と一体に形成されるフィルタフレーム１０４０を含む。フィルタフレーム１０４０と吸気口１０３６とをカバーするためにフレーム１０４０の外面または前部ハウジング１００２の内面にグリル１０４２が取り付けられる。グリル１０４２は前部ハウジング１００２のポート１０１２の形状に対応するために形状的に概ねアーチ状であって、底部１００８からハウジング１００２に平行に延びる第１の部分１０４２ａと、第２の部分１０４２ｂと前部ハウジング１００２との間に空間１０４３を画定するために第１の部分１０４２ａから内方向に延びる第２の部分１０４２ｂと、を含む。グリル１０４２は、如何なる所望の構成でも持つことができるが、好適にはグリル１０４２内に画定される開口１０４１を横切って概して垂直に延びる多数の中心支持体１０１６と、支持体１０１６に垂直に開口１０４１を横切って概して水平に延びる多数の羽根（ベーン）または仕切り板１０１８とで形成される。羽根１０１８は、開口１０４１を吸気口１０３６において空気が空気流チャンバ１０３０内に流入できる多数の別々の空気流チャネル１０２０に分割する。
【００４０】
グリル１０４２の直ぐ下流において、空気流チャンバ１０３０の吸気口１０３６は上流イオン化アセンブリ１０４３を含む。アセンブリ１０４３はフィルタフレーム１０４０に取り付けられており、アセンブリ支持体１０４４をフィルタフレーム１０４０に固定するためにフィルタフレーム１０４０の各コーナーに配置され、各コーナーから外方向に延びる多数の固定タブ１０４５によって係合される周辺フランジ１０４４ａを有するアセンブリ支持体１０４４を含む。支持体１０４４は、フィルタフレーム１０４０の形状に合致しており、概ね正方形で内向きに傾斜している外壁１０４４ｂと、グリル１０４２の中心支持体１０１６に概ね平行な支持体１０４４の中心を横切って延びる交差部材１０４８の上に配置されたイオン化ピン１０４６と、を有する。ピン１０４６は、概して上流方向に交差部材１０４８から外向きに延びており、また配線（図示せず）によって適当な電源に動作可能に接続される。イオンを生成するために使用するに先立ってピン１０４６に供給される如何なる電流も配線またはピン１０４６から漏洩し、それによってイオン化アセンブリ１０４３の効率を低下させることを防止するために、ピン１０４６から延びる配線とピン１０４６は各々、ピン１０４６を非導電性支持体１０４４から電気的に絶縁する仕方で支持体１０４４に接続される。ピン１０４６は、銅または黄銅といった導電性材料から形成されており、電源に接続されると吸気口１０３６内への空気の流れと反対の方向にピン１０４６の先端から電子／イオンを放出するように動作する。ピン１０４６によって生成されたこれらのイオンは、到来する空気流内に放出され、空気流内の浮遊微粒子に引き付けられて付着する。ピン１０４６によって生成されるイオンの量を更に最大にするために、ピン１０４６はできるだけ鋭利であるように形成される。これは、装置１０００がイオン化アセンブリを含む他の空気清浄機より遥かに低い電圧（＞７ｋＶ）で動作し、装置１０００の最大有効度のためにピン１０４６から出力されるイオンはできるだけ高いことを必要とするので、本装置１０００においては特に重要である。
【００４１】
微粒子に付着しないピン１０４６によって生成された電子／イオンは、フィルタフレーム１０４０に対向する支持体１０４４上でグリル１０４２とピン１０４６との間に配置されたアースプレート１０５２によって、吸気口１０３６を通って装置１０００から出て行くことを防止される。アースプレート１０５２は、アセンブリ支持体１０４４の形状に合致するように形状的に概ね正方形であって、アースプレート１０５２が吸気口１０３６への空気流を妨げないように、グリル１０４２の第１の部分１０４２ａの開口１０４１の部分と支持体１０４４内に画定される空間とにサイズ的に概ね対応する概ね円形の開口部１０５４を画定する。アースプレート１０５２は、銅または黄銅を含む金属といった導電性材料から形成されており、ピン１０４６によって生成された電子／イオンのための接地として機能するために配線（図示せず）を介して電気的接地（図示せず）に接続される。こうして、ピン１０４６によって生成された電子／イオンは、吸気口１０３６から流れ出て装置１０００の外に電子／イオンの帯電雲を形成することを抑止される。これは、今度は個人がこの雲に接触しその結果、電子／イオンで帯電させられ、それに続いて反対に帯電した表面に接触したときに静電気放電が発生するのを防止する。更にアースプレート１０５２は、アースプレート１０５２からの如何なる電流漏洩も最小にするために、任意の適当な非導電的仕方で、できるだけ少ない接続部によって支持体１０４４に固定される。好適には図１１、１２に示されるように、プレート１０５２は、コーナー１０５６の開口部１０５８を通して挿入される適当な留め具（図示せず）によって、またはプレート１０５２のコーナー１０５６と支持壁１０４４ａのある幾つかの部分との間に形成される摩擦締り嵌めによって支持体１０４４の外壁１０４４ｂに固定され得るコーナー１０５６を有する。
【００４２】
図１０〜１３に最もよく図示されているようにピン１０４６の直ぐ下流において各サイドパネル１０２２上に配置されたフィルタフレーム１０４０の半分ずつは、フィルタ受けスロット１０６０を画定するように協同する。スロット１０６０は、サイドパネル１０２２の１つにおける開口部１０６３に位置合わせされて配置されたスロット１０６０の相対する側面に配置された１対の内側に延びるフランジ１０６１の間に画定される。スロット１０６０と開口部１０６３は、フィルタ要素１０６４を保持するフィルタトレー１０６２を滑動可能に受けるように寸法決めされる。トレー１０６２は、到来する空気がトレー１０６２を通過せずにはチャンバ１０３０を通り抜けられないように、空気流チャンバ１０３０の全体を横切って延びるために概して正方形の構成を持つように形成される。トレー１０６２の挿入と取り外しとを容易にするためにサイドパネル１０２２は、開口部１０６３に直接隣接して配置された凹部１０６７を含む。凹部１０６７は、装置１０００内からトレー１０６２とフィルタ要素１０６４とを取り外すためにトレー１０６２が開口部１０６３に完全に挿入されるときにトレー１０６２の周辺エッジが掴まれ、引っ張られることを可能にする。代替としてトレー１０６２は、トレー１０６２が開口部１０６３に完全に挿入されるときに装置１０００の外に配置されていて、トレー１０６２を掴んでスロット１０６０から引き出すために使用され得るハンドル（図示せず）を含む。トレー１０６２はまた、フィルタ要素１０６４がチャンバ１０３０を通る空気流によってフィルタトレー１０６２内で動かされないように、フィルタ１０６４を固定するための適当な手段（図示せず）を含む。
【００４３】
トレー１０６２内に配置されたフィルタ要素１０６４は、前述の実施形態で使用されるフィルタに類似しており、装置１０００内を流れる空気がフィルタ要素１０６４を通って自由に流れることを可能にするために多数の空気流チャネルを有する高空気流フィルタである。しかしながらフィルタ要素１０６４はまた、ピン１０４６によって生成された電子／イオンの電荷とは反対である電荷を持って形成される。したがってピン１０４６から来る電子／イオンによって帯電させられた、フィルタ要素１０６４を通って流れる空気内の如何なる微粒子物質も、反対に帯電したフィルタ要素１０６４とピン１０４６からの電子／イオンとの間の引力によってフィルタ要素１０６４に引き寄せられて、そこに保持される。この仕方で装置１０００を通り抜ける空気中の微粒子物質のかなりの部分はフィルタ要素１０６４によって除去される。更にイオン化アセンブリ１０４４とフィルタ要素１０６４との間の距離は、ピン１０４６によって生成された電子／イオンがフィルタ要素１０６４に接触する前に空気流内の微粒子に付着するために十分な時間を持つように選択されるので、空気流中の大量の粒子はフィルタ要素１０６４に到達する前に電子／イオンによって帯電させられる。装置１０００内の電子／イオン雲における微粒子のこの滞留時間はまた、上流を指すことによって微粒子をフィルタ要素１０６４の更に上流の電子／イオンに接触させるピン１０４６の方位によって増やされる。
【００４４】
いったん指定量の微粒子物質がフィルタ要素１０６４によって集められると、フィルタトレー１０６２は開口部１０６３を通して装置１０００から取り外されることができ、フィルタ要素１０６４は空気から微粒子を効果的に除去し続けるために洗浄または交換されることができる。更に装置１０００は、タイマーまたはフォトアイ（感光眼）または、装置１０００上で可聴信号または可視信号を動作させる空気流または空気速度メータ、またはフィルタ要素１０６４に隣接して配置される機械的障害物といった、フィルタ要素１０６４が洗浄または交換される必要があるときを指示するために任意の適当なタイプのフィルタ使いきり合図（図示せず）を使用できる。また装置１０００は、装置１０００が駆動されるために装置１０００内にフィルタトレー１０６２とフィルタ要素１６４とが適切に配置されることを必要とするロックアウト機構（図示せず）を利用し得る。
【００４５】
さて図１１〜１３を参照すると空気流チャンバ１０３０は、チャンバ１０３０の吸気口１０３６と排気口１０３８とが各々、互いに対して、またチャンバ１０３０を画定するメインプレート１０３２に対して斜めに配置されるサイドパネル１０２２によって形成される。好適には吸気口１０３６と排気口１０３８は、メインプレート１０３２に対して２０度と６０度との間の角度、最も好適には約４５度の角度に配置される。これから後に説明されるファンアセンブリ１０８６も流れ軸に対して０度（水平）または９０度（垂直）に取り付けられ得るであろうことは留意されるべきである。
【００４６】
吸気口１０３６と排気口１０３８は、サイドパネル１０２２の各々に接続され、サイドパネル１０２２が互いに接合されるときにバッフル（調節板）１０７６を形成する１対の対向する半分１０７６ａによって形成されたバッフル１０７６によって分離される。バッフル１０７６は、各サイドパネル１０２２のサイドプレート１０２９から内向きに空気流チャンバ１０３０内にチャンバ１０３０を通る空気流の方向に概ね垂直に延びる。バッフル１０７６は、一方のサイドでフィルタフレーム１０４０に、他方のサイドでファンフレーム１０８８に固定される狭い端部１０７８を有する。狭い端部１０７８の両サイド間にバッフル１０７６は、空気流チャンバ１０３０内に配置される広い端部１０８０を画定する。バッフル１０７６の広い部分１０８０は、メインプレート１０３２の中心部分１０８２とバッフル１０７６の幅広部分１０８０との間でチャンバ１０３０を通る予め決められた経路への空気流を可能にするために十分な距離だけメインプレート１０３２の中心部分１０８２から間隔をあけて配置される。中心部分１０８２の各サイドにメインプレート１０３２は、バッフル１０７６と連携してバッフル１０７６の広い端部１０８０とメインプレート１０３２の中心部分１０８２との間に画定された空間に入ってきて出て行く空気流を方向付けるように動作する湾曲した制限セクション１０８４を含む。チャンバ１０３０内において流路を狭くすることは、概ね同じ方向に空気が流れ続けることを可能にする湾曲制限セクション１０８４の滑らかな表面によって達成される。しかし、単により小さな横断的空間を通ったというだけである。要するに、バッフル１０７６とメインプレート１０３２の形状と、入ってきて出て行く全空気流をコントロールする吸気口１０３６と排気口１０３８との対応する角度とは、空気流チャンバ１０３０全体を通る概ね層流の空気流を作り出すように動作する。その結果、装置１０００に入る空気は、従来技術のようにフィルタ１０６４の中心部分だけではなく、フィルタ要素１０６４の全表面が空気流から微粒子を除去するために使用されるように、吸気口１０３６の全面積に沿って等しく入る。更に装置１０００の吸気口１０３６における流入空気流の好適な４５度の角度は、装置１０００に入る空気が部屋の床に近い空気だけではなく装置１０００が配置されている部屋の内部から来ることを保証する。これは、装置１０００にはその周りに入ってくる空気が引き出され得るだけの量の空間が存在するように電気のコンセント（図示せず）に固定することがこの装置１０００の場合に特に重要である。同様に排気口１０３８の角度は、装置１０００から出て行く清浄空気が吸気口１０３６より上に排気されることと、室内の空気のよりよい循環を保証することと、室内の装置１０００の高さと同じ高さ、またはより低い高さに位置する同じ空気量の繰り返し浄化を避けることと、を可能にする。
【００４７】
装置１０００に空気を入れて装置１０００から出すために、装置１０００はまた、好適には排気口１０３８の直ぐ上流に配置されたファンアセンブリ１０８６を含むが、このファンアセンブリ１０８６はイオン化アセンブリ１０４４の下流の装置１０００内のどこにでも配置できる。ファンアセンブリ１０８６は、排気口１０３８を完全に横切って延びるサイドパネル１０２２間に形成されたファン取付けチャネル１０８９内に固定されたフレーム１０８８を含む。取付けチャネル１０８９は、フィルタフレーム１０４０と同様に形成されており、フランジ間にチャネル１０８９を画定する1対の内向きに延びるフランジ１０９１を含む。ファン取付けフレーム１０８８は、フレーム１０８８とファン１０８６とを空気流チャンバ１０３０の排気口１０３８に固定するためにフランジ１０９１間に配置され得る。フレーム１０８８は如何なる適当な構成でも持ち得るが、図１１〜１３に最もよく図示されている好適な実施形態では、フレーム１０８８は形状的に概ね正方形であって、多数のストラット（支柱）１０９４によって外側部材１０９３に接合される内側部材１０９２を含む。外側部材１０９３はまた、内側部材１０９２の形状に合致するために形状的に概ね正方形であり、またフレーム１０８８はチャネル１０８９を形成するフランジ１０９１間の距離より僅かに小さい全幅を持つように形成される。これは、装置１０００の組立て時にフレーム１０８８がチャネル１０８９に挿入されるときにフランジ１０９１間にフランジ１０８８が確実に係合されることを可能にする。
【００４８】
内側部材１０９２と外側部材１０９３の両者は、空気がチャンバ１０３０の排気口１０３８から装置１０００の外に流れ出ることができる中心開口部１０９５を各々が画定することによって概ね開放的な構造体として形成される。外側部材１０９３はまた、外側部材１０９３の中心開口部１０９５の中心に配置されて、支持体１０９６と外側部材１０９３との間に延びる多数の支持アーム１０９７によって保持された中心支持体１０９６を含む。中心支持体１０９６は、羽根車（インペラ）１０９９の回転シャフト（図示せず）が固定され得る中心開口１０９８を含む。シャフトと羽根車１０９９は、装置１０００のための電源に動作可能に接続された適当なモータ１１００によって駆動される。羽根車１０９９は、羽根車１０９９がフレーム１０８８の如何なる部分にも接触せずにフレーム１０８８内で回転できるように、完全にフレーム１０８８内にうまく収まるように寸法決めされる。またモータ１１００は好適には、ファンアセンブリ１０８６を通過する空気流のモータ１１００による妨害の量を最小にするように中心支持体１０９６上に配置される。後の洗浄のために、装置１０００の周りの反対に帯電した表面への引力のために装置１０００から出て行く、フィルタ要素１０６４によって捕獲されない粒子を帯電させるために、任意選択的に、装置の前述の実施形態に関して説明されたイオン化装置と同様に構成された下流イオン化装置（図示せず）が、羽根車１０９９に対向する中心支持体１０９６に取り付けられることも可能である。
【００４９】
この位置でファンアセンブリ１０８６は、装置１０００内の空気流チャンバ１０３０の全横断面を横切って装置１０００に入っては出て行く空気を駆動するように動作させられ得る。ファンアセンブリ１０８６は、回転かごまたは遠心ファンといった任意の適当なタイプのファンであり得るが、好適にはチャンバ１０３０を通る空気の引きを最大にして、装置１０００によって出される騒音の全体的レベルを下げる軸流ファンである。ファンアセンブリ１０８６に動作可能に接続された駆動モータ１１００は、 モータ１１００に動作可能に接続された制御手段１０７４と、所望の速度でファンアセンブリ１０８６の羽根車１０９９を回転させるための任意の適当な手動制御または遠隔操作制御スイッチ（図示せず）とを使用して制御され得る。ファンモータ１１００の速度は、空気が装置１０００に停滞することを防止するレベルに、しかし帯電微粒子を、フィルタ要素１０６４を通り過ぎて引き出すことをせずに、イオン化アセンブリ１０４４からの電子／イオンが微粒子に付着して微粒子をフィルタ要素１０６４に引き寄せるために十分な時間を与えるレベルに、装置１０００を通る空気流速度を維持するように制御される。
【００５０】
上部ポート１０１４内で前部ハウジング１００２には、ファンアセンブリ１０８６に隣接して、またチャンバ１０３０からの排気口１０３８に対向して第２のグリル１１０２が固定される。第２のグリル１１０２は、形状的に上部ポート１０１４に合致しており、好適な実施形態では第１のグリル１０４２における流れチャネル１０２０に類似の、第２のグリル１１０２における流れチャネル１０２０を画定するために協同する多数の円形ベーン（羽根）１０１８が支持体１０１６間に延びる多数のらせん状に延びる支持体１０１６を有する。第２のグリル１１０２のチャネル１０２０は、浄化空気が装置１０００の外に流れ出ることを可能にするように機能するが、グリル１１０２はまたファンアセンブリ１０８６へのアクセスを防止する。
【００５１】
ファンアセンブリ１０８６と第２のグリル１１０２との間には揮発物放出アセンブリ１１０４が配置される。揮発物放出アセンブリ１１０４は、前部ハウジング１００２または後部ハウジング１００４の一方または両方に固定された支持ハウジング１１０６と、支持ハウジング１１０６内に回転可能に固定された揮発物容器ハウジング１１０８であって、前述の実施形態の容器１４０と同様に形成されて、ある量の空気新鮮化または空気香り付け化合物を保持する揮発物容器（図示せず）を受ける揮発物容器ハウジング１１０８とを含む。好適な一実施形態では、排気口空気流を新鮮にする際に利用される化合物はＯＵＳＴ（登録商標）である。ＯＵＳＴ（登録商標）は、ウィスコンシン州ラシーン（Ｒａｃｉｎｅ，  Ｗｉｓｃｏｎｓｉｎ）のＳＣジョンソン＆ソン社（Ｓ．Ｃ．Ｊｏｈｎｓｏｎ  ＆  Ｓｏｎ，Ｉｎｃ．）から入手可能である。容器は、前部ハウジング１００２と第１のグリル１０４２の第２の部分１０４２ｂとの間に画定された空間１０４３を通して容器ハウジング１１０８内に挿入可能である。容器は、容器内の揮発物が完全に放出されたときに容器が容器ハウジング１１０８から引き出され得るように任意の適当で解放可能な仕方で容器ハウジング１１０８内に取り付けられ得る。容器から放出される揮発物の量を制御するために、容器ハウジング１１０８は、支持ハウジング１１０６の放出開口部１１１４に位置合わせして容器ハウジング１１０８内の放出開口１１１２を選択的に位置決めするように、支持ハウジング１１０６に対して回転可能である。容器ハウジング１１０８は、支持ハウジング１１０６に対して回転可能に係合するシャフト１１１６と、概ねシャフト１１１６とは反対に容器ハウジング１１０８から外方向に延びる調整ノブ１１１８と、を含む。ノブ１１１８は、支持ハウジング１１０６内でノブ１１１８と容器ハウジング１１０８とを回転させるためにノブ１１１８が人によって使われ得るように、容器ハウジング１１０８から前部ハウジング１００２の位置合せされた開口部１１２０に延びる。ノブ１１１８の所与の位置で容器から放出される揮発性化合物の相対的量を示すためにノブ１１１８には種々の適当なしるし１１２２が印刷され、或いは配置されている。
【００５２】
装置１０００の排気口１０３８を介して空気流内に揮発性化合物を放出するために、中でも支持ハウジング１１０６の放出開口部１１１４を通り過ぎてその周りを流れる排気口空気流のベンチュリ効果といった何らかの適当な方法が本技術で知られている。空気流チャンバ１０３０内のバッフル１０７６に隣接するように、装置１０００内のイオン化アセンブリ１０４４とフィルタ要素１０６４から下流で空気流チャンバに沿った他の点に揮発物アセンブリ１１０４も配置され得る。
【００５３】
揮発物アセンブリ１１０４は、容器ハウジング１１０８と装置１０００の他の機能を制御するためにも使用される制御手段１０７４に接続された容器との直ぐ背後に配置された発光ダイオードまたはＬＥＤ（図示せず）といった他の特徴要素も含み得る。ＬＥＤは好適には、装置１０００が配置される室内の周囲光のレベルを感知できる光センサー（図示せず）に動作可能に接続される。周囲光レベルが予めセットされた限界より下に下がると、制御手段１０７４は、ＬＥＤを点灯して、ノブ１１１８の下に配置された開口１１１０を通して目視可能である光を、容器を通して発光させるように動作する。ＬＥＤはまた、常夜灯としても機能でき、常に「オン」になっているが夜間だけ眼に見えるようにできる。
【００５４】
さて図１４〜１８を見ると、各サイドパネル１０２２のベース部１０２４は、互いに組み立てられると、空気流チャンバ１０３０に対向して後部ハウジング１００４上にエンクロージャ（囲壁部）１１２４を形成する。エンクロージャ１１２４は、メインプレート１０３２に対向してベース部１０２４を通って延びる概ね細長い開口部１１２６を画定し、開口部１１２６全体の周りに周辺フランジ１１２８を形成する。フランジ１１２８は、開口部１１２６の周りに内方向に延びて、プラグデッキアセンブリ１０２６のための取付けプレート１１３２上に配置された、位置合わせされた周辺タブ１１３０に係合する。取付けプレート１１３２とメインプレート１０３２との間の更なる支持のために、支持フランジ１１３５を含む支持部材１１３３が、取付けプレート１１３２の上端部に隣接して取付けプレート１１３２内に延びてこのプレート１１３２に係合する支持フランジ１１３５によってメインプレート１０３２に固定される。
【００５５】
取付けプレート１１３２においてプラグデッキアセンブリ１０２６は、回転プラグハウジング１１３４と、ハウジング１１３４内に配置された１対の第１の電気接点インサート１１３６と、第１の電気接点インサート１１３６に隣接してハウジング１１３４内に配置された１対の第２の電気接点インサート１１３８と、インサート１１３６、１１３８のハウジング１１３４に固定されたプラグデッキキャップ１１４０と、キャップ１１４０に固定される保持リング１１４２と、を含む。
【００５６】
プラグハウジング１１３４は、非導電性材料から形成され、形状的に概ね円形であり、ハウジング１１３４内に形成された多数の電気接続導管１１４６、１１４８の上方に配置された開放端１１４４を含む。導管１１４６、１１４８はまた各々、開放端１１４４に相対して配置されたハウジング１１３４の閉鎖端１１５４から外方向に延びる１対のプラグ１１５２の１個のブレード１１６０または１１６２に接続される。プラグ１１５２は、両プラグ１１５２が通常の住居用電力コンセントのレセプタクル（図示せず）に同時に挿入されることを可能にする構成において閉鎖端１１５４上で向きが定められる。これは、装置１０００の動作のための更なる電力を与えるばかりでなく、コンセントが配置された壁上に装置１０００のための追加の支持を与える。
【００５７】
導管１１４６、１１４８は、ハウジング１１３４の周辺の周りに等間隔に配置された隣接するペアのコンセント１１５０の間に延びる。コンセント１１５０は各々、装置１０００が取り付けられる壁上のコンセントに形成されたレセプタクルと同様に形作られた開口部１１４９を含み、装置１０００とは別の電動式装置（図示せず）からのプラグに係合できる。各コンセント１１５０は、開放端１１４４と閉鎖端１１５４との間に延びるハウジング１１３４の十字形セクション１１５１の一端に配置される。十字形セクション１１５１は、中心部分１１５５とは相対する各アーム１１５３の端部に配置されたコンセント１１５０を有する、中心部分１１５５から外方向に放射状に延びる多数のアーム１１５３を含む。各１対の隣接するアーム１１５３は、後述の仕方でコンセント１１５０とハウジング１１３４とを動かすのを助けるための、多数の間隔をあけて配置されたグリップ部材１１６１を含む側壁１１５９によって接合されている。
【００５８】
さて図１７、１８を見ると、第１の接点インサート１１３６と第２の接点インサート１１３８の構造が開示されている。第１のインサート１１３６は、金属といった導電性材料から形成されており、互いに接合されてブレード係合部１１５８で終わる１対の真っ直ぐなセクション１１５６を持って概ねＬ字形をしている。第１のインサート１１３６は、ハウジング１１３４の閉鎖端１１５４から延びるプラグ１１５２のための所望の構成に依存して薄いブレード１１６０または厚いブレード１１６２のいずれかに接続され得る。ハウジング１１３４内に配置されるとき各インサート１１３６のブレード係合部１１５８は、ハウジング１１３４の周辺に形成されたコンセント１１５０の開口部１１４９に直ぐ隣接して配置される。こうして第１のインサート１１３６は、コンセント１１５０の１対の開口部１１４９の１つに挿入されるプラグブレード（図示せず）を電気取出し口に挿入されたプラグ１１５２の１対のブレードから入ってくる電力に電気的に接続するように動作する。
【００５９】
同様に第２のインサート１１３８は、角度付きセクション１１６６によって接合された１対の真っ直ぐなセクション１１６４で形成される。真っ直ぐなセクション１１６４は各々、コンセント１１５０の位置合わせされた開口部１１４９に直ぐ隣接して配置されたブレード係合部１１５８で終わっており、第２のインサート１１３８は、必要に応じて薄いブレード１１６０または厚いブレード１１６２のいずれかに接続され得る。この仕方で第２のインサート１１３８は、装置１０００とコンセント１１５０の１つに接続された他の装置（図示せず）とに電力を供給するための回路をコンセント１１５０とプラグ１１５２との間に完成させるためにプラグ１１５２の１対のブレードの他方から来る電力にコンセント１１５０の１対の開口部１１４９の他方を電気的に接続する。更にハウジング１１３４の形状は、所望に応じて装置１０００とプラグデッキ１０２６のための異なる構成を収容するために概ね円筒形といったものに変更可能である。
【００６０】
さて図１６、１７を参照すると、プラグデッキキャップ１１４０が示されている。キャップ１１４０は、プラスチック材料といった非導電性材料から形成されており、キャップ１１４０がハウジング１１３４の開放端１１４４に嵌合できてハウジング１１３４の内部を取り囲むことができるように、ハウジング１１３４の開放端１１４４の形状に合致するように形作られる。キャップ１１４０は、ハウジング１１３４の開放端１１４４の最も外側のエッジと同一平面になるように位置決めされた周辺リム１１６４と、リム１１６４内に配置された凹部１１６６と、で形成される。凹部１１６６はハウジング１１３４内の種々のインサート１１３６、１１３８に隣接して配置された部分１１６６の周りに間隔を置いて配置された多数の開口部１１６８を含む。これらの開口部１１６８は、キャップ１１４０をハウジング１１３４に固定するために留め具（図示せず）が開口部１１６８を通して挿入されることを可能にし、またイオン化アセンブリ１０４４と制御ユニット１０７４とファンアセンブリ１０８６とへの接続のためにワイヤといった電気接続部（図示せず）が開口部１１６８を通してインサート１１３６、１１３８から保持リング１１４２の中心の位置合わせされた開口部１１７０内に、また装置１０００内に延びることを可能にする。リング１１４２内の開口部１１７０は好適には、ハウジング１１３４の回転によって配線が捩られて破断する可能性を防ぐためにリング１１４２の中心に配置される。
【００６１】
凹部１１６６は、凹部１１６６から外方向に延びるスリーブ１１７２であって、またキャップ１１４０を保持リング１１４２に取り付けるためにスリーブ１１７２に位置合わせして配置され保持リング１１４２に配置された固定用開口１１７４に挿入可能である多数のスリーブ１１７２を含む。保持リング１１４２は非導電性材料から形成されており、中心凹部１１７６と、凹部１１７６の周りに位置し、凹部１１７６とは反対の下方に延びるリム１１７９を含む周辺フランジ１１７８と、を含む。凹部１１７６は、キャップ１１４０の凹部１１６６との係合のために取付けプレート１１３２上に配置されたロッキングリング１１８２によって形成された開口１１８０を通って延びるように寸法決めされる。凹部１１７６はまた、凹部１１７６の周りに配置された多数のロッキング部材１１８４を含む。ロッキング部材１１８４は各々、リング１１４２の周辺フランジ１１７８の直下に配置されたロッキングタブ１１８６と、タブ１１８６を凹部１１７６に接続するバイアス部材１１８８とを含む。タブ１１８６は、ロッキングリング１１８２の内側周辺に間隔をあけて配置された多数のロッキング溝１１９０の１つに係合可能である。タブ１１８６は、溝１１９０内にタブ１１８６を保持するためにバイアス部材１１８８によってタブ１１８６に加えられるバイアス力を超える力が装置１０００に加えられるまで、溝１１９０の各々の内部に固定されている。それからタブ１１８６とリング１１４２とキャップ１１４０とハウジング１１３４は、装置１０００が取り付けられるコンセントが水平コンセントであるか垂直コンセントであるかどうかに関係なく、装置１０００を垂直構成に配置するために壁コンセントのレセプタクルにプラグ１１５２を位置合わせするように回転させられることが可能である。更にロッキング溝１１９０の間隔は、コンセント１１５０の２つがプラグデッキアセンブリ１０２６の相対する両サイドに露出される位置にプラグデッキハウジング１１３４を位置決めする。これは、装置１０００が、壁コンセントに取り付けられるとき装置１０００が取り付けられていない壁コンセントと同数のレセプタクルを、別々の電力供給される装置の取付けのために用意することを保証する。
【００６２】
更にリング１１４２上の周辺フランジ１１７８とリム１１７９は、リム１１７９とフランジ１１７８の直下の凹部１１７６との間に配置されたロッキングリング１１８２にロッキングリング１１８２の内側エッジを係合させるように機能する。キャップ１１４０およびリング１１４２それぞれの凹部１１６６および１１７６の接続と連携してこの係合は、取付けプレート１１３２に隣接するプラグデッキハウジング１１３４の位置を保持しながら、回転可能な仕方で取付けプレート１１３２上にハウジング１１３４を保持するように作用する。
【００６３】
装置１０００が壁コンセントに取り付けられるとき、プラグデッキハウジング１１３４の相対する両サイド上で取付けプレート１１３２から後方に延びる１対のストッパまたは突起１１９２によって装置１０００には更なる安定性が与えられる。ストッパ１１９２は好適には取付けプレート１１３２と一体に形成され、また各ストッパは、ハウジング１１３４がストッパ１１９２からの干渉なしに自由に回転することを可能にするために、取付けプレート１１３２から外方向に延びてプラグハウジング１１３４に隣接して配置される湾曲壁１１９４と、取付けプレート１１３２に対向して湾曲壁１１９２に接続された概ね平面状の外壁１１９６とを含む。各ストッパ１１９２の外壁１１９６は、壁上の好適な概して垂直な位置に装置１０００を保持するためにコンセントがコンセントの片側に配置された壁に係合するように機能する。
【００６４】
本発明の第３の実施形態では図１９に最もよく示されているように、図９〜１８に示された装置１０００は、プラグデッキアセンブリ１０２６を省略し、したがって電気コード１２０２を含むパワーモジュール１２００を代用するように修正される。パワーモジュール１２００は、コード１２０２のプラグ（図示せず）が挿入されるレセプタクルを介して電力を装置１０００に供給するために、プラグデッキアセンブリ１０２６と同様に、イオン化アセンブリ１０４４と制御ユニット１０７４とファンアセンブリ１０８６とに動作可能に接続される。コード１２０２は、チャンバ１０３０とは反対に装置１０００の後部ハウジング１００４に固定されたモジュール１２００のためのハウジング１２０４から後方に延びる。ハウジング１２０４は、装置１０００の底部１００８に取り付けられて底部から下方に延びる１対の支持体１２０８と連携して表面１２１０を取り囲む環境に空気浄化を供給するために装置１０００がテーブル、棚、机などといった平坦な表面１２１０上に配置されることを可能にする、ハウジング１２０４の下面に配置された足部（フット）１２０６を有する。ハウジング１２０４はまた、既知の仕方で装置１０００の動作を制御するために使用されるスイッチ１２１２を含み得る。
【００６５】
本発明を実施する本発明者らによって考えられた最良の形態が上記に開示されているが、本発明の実施はこれに限定されない。本発明の特徴の種々の追加と修正と再構成とが、本発明の基礎的概念の精神と範囲とから逸脱せずに行われ得ることは明白であろう。
【００６６】
更に個別の構成要素は開示された形状に形成されることも、開示された構成に組み立てられることも必要でなく、事実上如何なる形状においても提供され、また事実上如何なる構成にでも組み立てられることが可能であろう。更にここで説明されたフィルタは物理的に別のモジュールであるが、フィルタが関連する装置にこのフィルタが統合され得ることは明白であろう。更に各開示された実施形態のすべての開示された特徴は、このような特徴が相互に排他的である場合を除いて、すべての他の開示された実施形態の開示された特徴と組合せ可能、あるいは代用可能である。
【００６７】
本発明を構成する利点と特徴との、また本発明によって与えられる典型的な機構の構成と動作との明白な概念は、本明細書に添付されいて本明細書の一部を構成する図面（幾つかの図において同じ参照数字が同じ要素を示す）に例示された例示的な、したがって非限定的な実施形態を参照することによって、より即座に明らかになるであろう。
【００６８】
図面に例示された本発明の好適な実施形態を説明する際に、明瞭のために固有の専門用語が使われるであろう。しかしながら本発明は、そのように選択された特定の用語に限定されることは意図されておらず、また各固有の用語が同様の目的を達成するために同様の仕方で動作するすべての技術的同等物を含むことは理解されるべきである。例えば関連され付加された言葉、またはそれに類似した用語は頻繁に使用される。これらの用語は直接の関連事項に限定されることはなく、このような関連事項が本技術に精通する人々によって同等であると認められる他の要素を介した関連事項を含む。
【関連出願への相互参照】
【００６９】
本出願は、２００５年８月１１日に出願された仮米国特許出願通番第６０／７０７，３５０号と２００５年８月１０日に出願された仮米国特許出願通番第６０／７０７，０７６号から優先権を主張し、各々の出願はそれらの全体として引用されることによってここに組み込まれる。
【図面の簡単な説明】
【００７０】
【図１】本発明にしたがって構成された空気清浄機の第１の実施形態の等角投影図である。
【図２】図１の空気清浄機の部分分解等角投影図である。
【図３】図１の線３−３に沿った横断面図である。
【図４】図１の空気清浄機の分解等角投影後面図である。
【図５】図１の空気清浄機の上流イオン化アセンブリの等角投影図である。
【図６】図５のイオン化アセンブリの分解図である。
【図７】図１の空気清浄機のファン取付けフレームとファンと下流イオン化アセンブリとの等角投影図である。
【図８】図７のファン取付けフレームとファンと下流イオン化アセンブリとの分解等角投影図である。
【図９】本発明にしたがって構成された空気清浄機の第２の実施形態の等角投影図である。
【図１０】図９の空気清浄機と空気清浄機用のフィルタトレーとフィルタとの部分分解等角投影図である。
【図１１】図９の空気清浄機の部分分解等角投影図である。
【図１２】図１１の空気清浄機の分解等角投影図である。
【図１３】図９の線１３−１３に沿った横断面図である。
【図１４】図１３の空気清浄機の下部の部分破断等角投影図である。
【図１５】図９の空気清浄機とプラグデッキアセンブリとの後部等角投影図である。
【図１６】図１５の空気清浄機とプラグデッキアセンブリとの部分分解等角投影図である。
【図１７】図１６のプラグデッキアセンブリの分解等角投影図である。
【図１８】図１７のプラグデッキアセンブリの内部の正面図である。
【図１９】本発明にしたがって構成された空気清浄機の第３の実施形態の等角投影図である。
【図１】
2009504385.tif 000003
【図２】
2009504385.tif 000004
【図３】
2009504385.tif 000005
【図４】
2009504385.tif 000006
【図５】
2009504385.tif 000007
【図６】
2009504385.tif 000008
【図７】
2009504385.tif 000009
【図８】
2009504385.tif 000010
【図９】
2009504385.tif 000011
【図１０】
2009504385.tif 000012
【図１１】
2009504385.tif 000013
【図１２】
2009504385.tif 000014
【図１３】
2009504385.tif 000015
【図１４】
2009504385.tif 000016
【図１５】
2009504385.tif 000017
【図１６】
2009504385.tif 000018
【図１７】
2009504385.tif 000019
【図１８】
2009504385.tif 000020
【図１９】
2009504385.tif 000021
【国際調査報告】
2009504385.tif 000022
2009504385.tif 000023
2009504385.tif 000024